(57)【要約】      （修正有）【課題】フェンスを提供する。【解決手段】複数あるフェンスプレート１が２つずつ接続され閉鎖ループが形成される、複数あるフェンスプレート１を備えるフェンスであって、前記フェンスプレート１がスプリングジョイント２により接続され、前記スプリングジョイント２が隣接フェンスプレート１の相対的回転及び固定を制御でき、２つずつ接続された前記フェンスプレート１の複数対の内の１対における一方の前記フェンスプレート１に扉３が設けられており、前記扉３は一端がフェンスプレート１に回転接続され、他端がロックジョイント４を介してフェンスプレート１との固定及び分離を制御することを特徴とする、フェンス。【選択図】図２
0003225395.tif 000002
【実用新案登録請求の範囲】
【請求項１】
２つずつ接続され閉鎖ループが形成される、複数あるフェンスプレート１を備えるフェンスであって、
前記フェンスプレート１がスプリングジョイント２により接続され、前記スプリングジョイント２が隣接フェンスプレート１の相対的回転及び固定を制御でき、
一方の前記フェンスプレート１に扉３が設けられており、前記扉３は一端がフェンスプレート１に回転接続され、他端がロックジョイント４を介してフェンスプレート１との固定及び分離を制御することを特徴とする、フェンス。
【請求項２】
前記フェンスプレート１は、支持棒５と、横棒６と、を備え、前記横棒６が対称的に２本設けられており、前記支持棒５が２本の横棒６間に固定接続され、複数本あることを特徴とする、請求項１に記載のフェンス。
【請求項３】
前記スプリングジョイント２は、上下に設けられる２つのジョイント７と、上下ジョイント７間に接続される接続棒８とを備え、前記ジョイント７は、互いに回転可能に係着され接続部品として配置される上プレート９及び下プレート１０を備え、前記上プレート９と下プレート１０との間にスプリングロック構造が設けられており、前記接続棒８の上部のジョイント７にスプリングボタン１１がさらに設けられており、
前記上プレート９及び下プレート１０の一側に何れも円形キャビティを有し、キャビティ内にギヤリング１２と、ソケット１３とが設けられており、前記ソケット１３がギヤリング１２の内輪に位置し、前記上プレート９及び下プレート１０に第１スルーホール１４が設けられており、前記下プレート１０のギヤリング１２の厚さが上プレート９のギヤリング１２の厚さよりも大きく、前記スプリングボタン１１が上プレート９における第１スルーホール１４内に位置することを特徴とする、請求項１に記載のフェンス。
【請求項４】
前記スプリングロック構造は、第１ばね１５と、ギア１６と、上プレート９及び下プレート１０におけるギヤリング１２とを備え、前記上プレート９、下プレート１０が係合されて２つのギヤリング１２が対応して積層しギア溝を形成し、前記ギア１６の中心にスルーホールを有し、前記ギア１６の一側に円槽を有し、前記ギア１６の厚さが上プレート９におけるギヤリング１２の厚さよりも大きく、下プレート１０におけるギヤリング１２の厚さよりも小さく、前記ギア１６と第１ばね１５とがギア溝内に設けられ、前記ギア１６の円槽側が下プレート１０に向き、前記第１ばね１５の一端がソケット１３に嵌着され、正常状態で、前記ギア１６が第１ばね１５を介して上プレート９のギヤリング１２内に押し付けられ、前記ギア１６の厚さが上プレート９におけるギヤリング１２の厚さよりも大きく、下プレート１０におけるギヤリング１２の厚さよりも小さいので、この場合、前記ギア１６が上プレート９及び下プレート１０におけるギヤリング１２の何れとも噛合されることで、上プレート９、下プレート１０をロックして回転させることができないようにし、前記ギア１６が下プレート１０のギヤリング１２内に押し当てられる場合、前記ギア１６が下プレート１０のギヤリング１２のみと噛合され、前記上プレート９、下プレート１０をロック解除させて回転を実現することを特徴とする、請求項３に記載のフェンス。
【請求項５】
前記ロックジョイントは、錠前端１７と、第２ばね１８と、移動体１９と、連結端２０と、ガードバー２１と、台座２２とを備え、前記錠前端１７にスライドレール２３と、接続カード２４と、第１スルーホール２５と、ねじ穴２６とが設けられており、前記移動体１９にバックル２７と、ボタン２８と、ばね固定座２９と、溝３０と、ボス３１とが設けられており、前記第２ばね１８と移動体１９とが錠前端１７内に位置し、前記第２ばね１８と移動体１９とが接続され、前記連結端２０にバックル孔３２と接続溝３３とが設けられており、前記ガードバー２１が移動体１９と台座２２との間に位置し、
前記第２ばね１８の一端がバックル２７に押し当てられ、前記移動体１９が第２ばね１８によって付勢されて移動し、
前記移動体１９が一体的に射出成形されたものであり、ボス３１とスライドレール２３とが係着され、前記接続カード２４が接続溝３３に係着されることを特徴とする、請求項１に記載のフェンス。
【考案の詳細な説明】
【技術分野】
【０００１】
本考案は、フェンスの分野に関し、詳しくはフェンスに関する。
【背景技術】
【０００２】
現在、市場にあった幼児の遊び用フェンスには複数の種類があり、通常、固定式及び折り畳み式の２種類に分けられる。固定式のフェンスは、取り付けられた後、その構造が固定化され変わらず、子供が中に遊ぶ際に安全であるが、収納及び使用時の着脱が不便である。折り畳み式の幼児の遊び用フェンスは一般的に隣接ユニットのフェンスプレートの垂直な辺にスリーブ及び連結軸で接続され、収納しやすいが、子供が中に遊ぶ際にフェンスにぶつかると、フェンスプレート間がねじ曲がったり、変形したりして、さらに接続部は子供を挟んで傷つけることもあり、綺麗ではなく、不安全である。このような状況に対して、新規のフェンスが設計されている。
【考案の概要】
【考案が解決しようとする課題】
【０００３】
本考案が解決しようとする課題は前記技術のデメリットを克服し、フェンスを提供することである。
【課題を解決するための手段】
【０００４】
前記技術的課題を解決するために、本考案は以下の技術方案を提供する。２つずつ接続され閉鎖ループが形成される、複数あるフェンスプレートを備えるフェンスであって、前記フェンスプレートがスプリングジョイントにより接続され、前記スプリングジョイントが隣接フェンスプレートの相対的回転及び固定を制御でき、一方の前記フェンスプレートに扉が設けられており、前記扉は一端がフェンスプレートに回転接続され、他端がロックジョイントを介してフェンスプレートとの固定及び分離を制御するフェンス。
【０００５】
改善として、前記フェンスプレートは、支持棒と、横棒と、を備え、前記横棒が対称的に２本設けられており、前記支持棒が２本の横棒間に固定接続され、複数本ある。
【０００６】
改善として、前記スプリングジョイントは、上下に設けられる２つのジョイントと、上下ジョイント間に接続される接続棒とを備え、前記ジョイントは、互いに回転可能に係着され接続部品として配置される上プレート及び下プレートを備え、前記上プレート及び下プレート間にスプリングロック構造が設けられており、前記接続棒の上部のジョイントにスプリングボタンがさらに設けられており、前記上プレート及び下プレートの一側に何れも円形キャビティを有し、キャビティ内にギヤリングと、ソケットとが設けられており、前記ソケットがギヤリングの内輪に位置し、前記上プレート及び下プレートに第１スルーホールが設けられており、前記下プレートのギヤリングの厚さが上プレートのギヤリングの厚さよりも大きく、前記スプリングボタンが上プレートにおける第１スルーホール内に位置する。
【０００７】
改善として、前記スプリングロック構造は、第１ばねと、ギアと、上プレート及び下プレートにおけるギヤリングとを備え、前記上プレートと下プレートが係合されて２つのギヤリングが対応して積層しギア溝を形成し、前記ギアの中心にスルーホールを有し、前記ギアの一側に円槽を有し、前記ギアの厚さが上プレートにおけるギヤリングの厚さよりも大きく、下プレートにおけるギヤリングの厚さよりも小さく、前記ギアと第１ばねとがギア溝内に設けられ、前記ギアの円槽側が下プレートに向き、前記第１ばねの一端がソケットに嵌着され、正常状態で、前記ギアが第１ばねを介して上プレートのギヤリング内に押し付けられ、前記ギアの厚さが上プレートにおけるギヤリングの厚さよりも大きく、下プレートにおけるギヤリングの厚さよりも小さいので、この場合、前記ギアが上プレート及び下プレートにおけるギヤリングの何れとも噛合されることで、上プレート及び下プレートをロックして回転させることができないようにし、前記ギアが下プレートのギヤリング内に押し当てられる場合、前記ギアが下プレートのギヤリングのみと噛合され、前記上プレート及び下プレートをロック解除させて回転を実現する。
【０００８】
改善として、前記ロックジョイントは、錠前端と、第２ばねと、移動体と、連結端と、ガードバーと、台座とを備え、前記錠前端にスライドレールと、接続カードと、第１スルーホールと、ねじ穴とが設けられており、前記移動体にバックルと、ボタンと、ばね固定座と、溝と、ボスとが設けられており、前記第２ばねと移動体とが錠前端内に位置し、前記第２ばねと移動体とが接続され、前記連結端にバックル孔と接続溝とが設けられており、前記ガードバーが移動体と台座との間に位置し、前記第２ばねの一端がバックルに押し当てられ、前記移動体が第２ばねによって付勢されて移動し、前記移動体が一体的に射出成形されたものであり、ボスとスライドレールとが係着され、前記接続カードが接続溝に係着される。
【考案の効果】
【０００９】
本考案は従来技術に比べたメリットは、本考案に係るスプリングジョイントはスプリングロック構造の設計を用い、ジョイントの拡張角度を自由に実現でき、操作しやすく、フェンスに用いられる場合フェンスの収納、固定、角度調整が便利になることが可能であり、ロックジョイントを介して、ドアの上端と下端を同時にロックすることができ、構造がきれいで、安全であり、フェンスの機能及び使用効果を効果的に向上したことである。
【図面の簡単な説明】
【００１０】
【図１】図１は本考案に係るフェンスの正面図である。
【図２】図２は本考案に係るフェンスの斜視図である。
【図３】図３は本考案に係るスプリングジョイントの組立図である。
【図４】図４は本考案に係る下プレートの構成図である。
【図５】図５は本考案に係る上プレートの構成図である。
【図６】図６は本考案に係るスプリングボタンの組立図である。
【図７】図７は本考案に係る錠前端の構成図である。
【図８】図８は本考案に係る錠前端の軸側構成図である。
【図９】図９は本考案に係る移動体の構成図である。
【図１０】図１０は本考案に係る移動体の軸側構成図である。
【図１１】図１１は本考案に係る移動体の底面図である。
【図１２】図１２は本考案に係る連結端の構成図である。
【図１３】図１３は本考案に係る錠前端、ばね、移動体、連結端の断面図である。
【図１４】図１４は本考案に係るロックジョイント全体の構成図である。
【考案を実施するための形態】
【００１１】
以下に添付図面を参照しながら本考案に係るフェンスをさらに詳述する。
【００１２】
添付図面１〜１４によれば、２つずつ接続され閉鎖ループが形成される、複数あるフェンスプレート１を備えるフェンスであって、前記フェンスプレート１がスプリングジョイント２により接続され、前記スプリングジョイント２が隣接フェンスプレート１の相対的回転及び固定を制御でき、一方の前記フェンスプレート１に扉３が設けられており、前記扉３は一端がフェンスプレート１に回転接続され、他端がロックジョイント４を介してフェンスプレート１との固定及び分離を制御するフェンスを提供する。
【００１３】
前記フェンスプレート１は、支持棒５と、横棒６と、を備え、前記横棒６が対称的に２本設けられており、前記支持棒５が２本の横棒６間に固定接続され、複数本ある。
【００１４】
前記スプリングジョイント２は、上下に設けられる２つのジョイント７と、上下ジョイント７間に接続される接続棒８とを備え、前記ジョイント７は、互いに回転可能に係着され接続部品として配置される上プレート９及び下プレート１０を備え、前記上プレート９と下プレート１０との間にスプリングロック構造が設けられており、前記接続棒８の上部のジョイント７にスプリングボタン１１がさらに設けられており、前記上プレート９及び下プレート１０の一側に何れも円形キャビティを有し、キャビティ内にギヤリング１２と、ソケット１３とが設けられており、前記ソケット１３がギヤリング１２の内輪に位置し、前記上プレート９及び下プレート１０に第１スルーホール１４が設けられており、前記下プレート１０のギヤリング１２の厚さが上プレート９のギヤリング１２の厚さよりも大きく、前記スプリングボタン１１が上プレート９における第１スルーホール１４内に位置する。
【００１５】
前記スプリングロック構造は、第１ばね１５と、ギア１６と、上プレート９及び下プレート１０におけるギヤリング１２とを備え、前記上プレート９、下プレート１０が係合されて２つのギヤリング１２が対応して積層しギア溝を形成し、前記ギア１６の中心にスルーホールを有し、前記ギア１６の一側に円槽を有し、前記ギア１６の厚さが上プレート９におけるギヤリング１２の厚さよりも大きく、下プレート１０におけるギヤリング１２の厚さよりも小さく、前記ギア１６と第１ばね１５とがギア溝内に設けられ、前記ギア１６の円槽側が下プレート１０に向き、前記第１ばね１５の一端がソケット１３に嵌着され、正常状態で、前記ギア１６が第１ばね１５を介して上プレート９のギヤリング１２内に押し付けられ、前記ギア１６の厚さが上プレート９におけるギヤリング１２の厚さよりも大きく、下プレート１０におけるギヤリング１２の厚さよりも小さいので、この場合、前記ギア１６が上プレート９及び下プレート１０におけるギヤリング１２の何れとも噛合されることで、上プレート９、下プレート１０をロックして回転させることができないようにし、前記ギア１６が下プレート１０のギヤリング１２内に押し当てられる場合、前記ギア１６が下プレート１０のギヤリング１２のみと噛合され、前記上プレート９、下プレート１０をロック解除させて回転を実現する。
【００１６】
前記ロックジョイントは、錠前端１７と、第２ばね１８と、移動体１９と、連結端２０と、ガードバー２１と、台座２２とを備え、前記錠前端１７にスライドレール２３と、接続カード２４と、第１スルーホール２５と、ねじ穴２６とが設けられており、前記移動体１９にバックル２７と、ボタン２８と、ばね固定座２９と、溝３０と、ボス３１とが設けられており、前記第２ばね１８と移動体１９とが錠前端１７内に位置し、前記第２ばね１８と移動体１９とが接続され、前記連結端２０にバックル孔３２と接続溝３３とが設けられており、前記ガードバー２１が移動体１９と台座２２との間に位置し、前記第２ばね１８の一端がバックル２７に押し当てられ、前記移動体１９が第２ばね１８によって付勢されて移動し、前記移動体１９が一体的に射出成形されたものであり、ボス３１とスライドレール２３とが係着され、前記接続カード２４が接続溝３３に係着される。
【００１７】
本考案は具体的に実施される場合、複数のフェンスプレート１は２つずつスプリングジョイント２により接続され閉鎖ループが形成され、スプリングジョイント２におけるスプリングボタン１１を介して隣接フェンスプレート１の相対的回転及び固定を制御でき、ロックジョイント４を介して扉３とフェンスプレート１との固定及び分離を制御できる。ロックジョイント４が扉３とフェンスプレート１との固定を制御する場合、扉３はフェンスプレート１に対して回転できず、ロックジョイント４が扉３とフェンスプレート１との固定を制限しない場合、扉３はフェンスプレート１に対して回転できることで、扉３が開かれて人が出入りしやすくなる。
【００１８】
本考案に係るスプリングジョイントはスプリングロック構造の設計を用い、ジョイントの拡張角度を自由に実現でき、操作しやすく、フェンスに用いられる場合フェンスの収納、固定、角度調整が便利になることが可能であり、ロックジョイントを介して、ドアの上端と下端を同時にロックすることができ、構造がきれいで、安全であり、フェンスの機能及び使用効果を効果的に向上した。
【００１９】
以上、本考案及びその実施の態様を説明したが、この説明は制限的なものではなく、添付図面に示すのも本考案の一実施の態様に過ぎず、実際の構造はこれに制限されるものではない。つまり、当業者がその示唆を受け、本考案の創造的な旨を逸脱することなく、創造性なしで設計された前記技術方案と同様な構造方法及び実施例は、全て本考案の保護範囲に属すべきである。
【符号の説明】
【００２０】
１    フェンスプレート
２    スプリングジョイント
３    扉
４    ロックジョイント
５    支持棒
６    横棒
７    ジョイント
８    接続棒
９    上プレート
１０    下プレート
１１    スプリングボタン
１２    ギヤリング
１３    ソケット
１４    第１スルーホール
１５    第１ばね
１６    ギア
１７    錠前端
１８    第２ばね
１９    移動体
２０    連結端
２１    ガードバー
２２    台座
２３    スライドレール
２４    接続カード
２５    第１スルーホール
２６    ねじ穴
２７    バックル
２８    ボタン
２９    ばね固定座
３０    溝
３１    ボス
３２    バックル孔
３３    接続溝
【図１】
0003225395.tif 000003
【図２】
0003225395.tif 000004
【図３】
0003225395.tif 000005
【図４】
0003225395.tif 000006
【図５】
0003225395.tif 000007
【図６】
0003225395.tif 000008
【図７】
0003225395.tif 000009
【図８】
0003225395.tif 000010
【図９】
0003225395.tif 000011
【図１０】
0003225395.tif 000012
【図１１】
0003225395.tif 000013
【図１２】
0003225395.tif 000014
【図１３】
0003225395.tif 000015
【図１４】
0003225395.tif 000016
【手続補正書】
【提出日】令和1年12月17日(2019.12.17)
【手続補正１】
【補正対象書類名】実用新案登録請求の範囲
【補正対象項目名】請求項１
【補正方法】変更
【補正の内容】
【請求項１】
複数あるフェンスプレート１が２つずつ接続され閉鎖ループが形成される、複数あるフェンスプレート１を備えるフェンスであって、
前記フェンスプレート１がスプリングジョイント２により接続され、前記スプリングジョイント２が隣接フェンスプレート１の相対的回転及び固定を制御でき、
２つずつ接続された前記フェンスプレート１の複数対の内の１対における一方の前記フェンスプレート１に扉３が設けられており、前記扉３は一端がフェンスプレート１に回転接続され、他端がロックジョイント４を介してフェンスプレート１との固定及び分離を制御することを特徴とする、フェンス。